(57)【特許請求の範囲】
【請求項１】
ベットシーツの固定構造において、固着部材を固定した支持部材をそれぞれベットマットの側部に出し置きし、ベットマットより縦幅も横幅もそれぞれ３００ｍｍ程度外側に大きくしたベットシーツをベットマット上に載置させ、そのベットシーツの頭部側及び足部側の裏側にベットパットを挿入するための裏布に可撓性支持部材を貫通させるための少なくても一つ以上の切り欠き部を設けて縫い閉じ、ベットパットを挿入すると共に、ベットパットを押さえるように少なくても一つの切り欠き部を貫通させた固着部材の付いた少なくても一本の可撓性支持部材と、ベットマットの下から巻き回された固着部材のついた少なくても一本の支持部材と、固定することを特徴とするワンタッチベットシーツの固定構造。
【発明の詳細な説明】
【０００１】
【発明の属する技術分野】
ベットシーツの少なくても一枚の裏布の適所に設けた少なくても一つの切り欠き部を利用しベットシーツと、ベットパットと、ベットマットと、一体化させるようにしたベットシーツの固定構造。
【０００２】
【従来の技術】
従来のベットシーツは、特開平１１−７６０２８には、留め金付きゴムベルトとベット用フラットシーツのようにシーツ４隅にできた三角部分を畳んでシーツとマットレスの間に入れ込む方法が記載され、更に、実用新案登録、第３０３６２５４号には、シーツのズレ防止具として、シーツの周縁部に帯状あて布を重着し、縁止め金具を設けた主体を、ベットとマットの間に配置する方法が記載され、又、特開平０３−２１２２１２には、マットレスカバーの固着装置として、マットレスカバーをマットレスに引きひもを緊密に引っ張ることにより固着するようにした装置が記載されている。
【０００３】
【発明が解決しようとする課題】
特開平１１−７６０２８、上記発明の場合、シーツを畳んで入れるのも面倒だし、４隅に多数のしわが出来るので見た目がすっきりしない。実用新案登録、第３０３６２５４号、上記発明の場合ベットとマットの間に配置するのは、重いベットマットを持ち上げるのは重労働です。特開平０３−２１２２１２、上記発明の場合引きひもを緊密に引っ張るのは時間がかかる。しかしこれらの問題を解決しようとして、重いベットマットを持ち上げずに簡単でしかもシーツにしわが出来ず安定したシーツの載置ができるようにすることを目的とする。
【０００４】
【課題を解決するための手段】
ベットマットより縦幅も横幅もそれぞれ３００ｍｍ程度外側に大きくしたベットシーツをベットマット上に載置させ、そのベットシーツの頭部側及び足部の裏側にベットパットを挿入するための裏布に可撓性支持部材を貫通させるための少なくても一つ以上の切り欠き部を設けて縫い閉じ、ベットパットを挿入すると共に、ベットパットを押さえるように少なくても一つ切り欠き部を貫通させため固着部材の付いた少なくても一本の可撓性支持部材と、ベットマットの下から巻き回された固着部材のついた少なくても一本の支持部材と、固定することによりベットシーツと、ベットパットと、ベットマットと、一体化させるようにした。
【０００５】
【発明の実施の形態】
ベットシーツの裏側には適所に少なくても一つの切り欠き部が設けられた少なくても一枚の裏布が縫い閉じられている。
【０００６】
ベットシーツの裏側に適所に少なくても一つの切り欠き部が設けられた少なくても一枚の裏布は、少なくても一本の可撓性支持部材が貫通できるように形成してある。
【０００７】
ベットパットを押さえるように適所に設けられた少なくても一つの切り欠き部を貫通させた固着部材の付いた少なくても一本の可撓性支持部材と、ベットマットの下から巻き回された固着部材のついた少なくても一本の支持部材と、固定させる。
【０００８】
又、頭部側及び足部側の固着部材５は、ベットパット７上に可撓性支持部材６を渡さずシーツとポケット用布にはさみ縫い閉じてもよい。
【０００９】
なお固着部材５にはマグネットに限らず、バックル、マジックテープ、カギホック、ボタン、ホック、金属製バックル、安全ピンなどを使用してもよい。なお固着部材５を用いず支持部材１０と可撓性支持部材６をひもで結んでもよい。
【００１０】
なおシーツは綿に限らずウール、ポリエステルなどを使用してもよい。
【００１１】
次にこの作業工程を順を追って説明する。図３に示されるようにベットマット４の下端部には固着部材５が設けられている。又は、図９に示されるように固着部材５は、伸びない性質の支持部材１０に支持されベットマット４の下側から巻き回してもよい。
【００１２】
更に図５に示されるように、裏側にしたベットシーツ１をベットマット４上に載置させる。
【００１３】
そして図６に示されるように、ポケットの切欠き部、８Ａ，８Ｂ、８Ｃを利用して、固着部材５が取り付けてある可撓性支持部材６を貫通させる。
【００１４】
更に図７に示されるように、ベットシーツ１に設けられた足部側ポケット２及び頭部側ポケット３にベットパットの端部を挿入し、長めのベットパットは頭部側ポケット３の開口部１１より外にはみ出させる。
【００１５】
更にベットパット７が内在されたベットシーツ１を表返ししたのが図１である。
【００１６】
又、図８に示されるように、ベットマット４に設けられた固着部材５と、ベットシーツ１に設けられた可撓性支持部材６の固着部材５とを一体的に固定する。
【００１７】
ベットマットより縦幅も横幅もそれぞれ３００ｍｍ程度外側に大きくしたベットシーツは側面に垂らしボックス型に止めてもよい。
【００１８】
なお固着部材５を、ベットマット４の製造工程であらかじめベットマット４に取り付けてあってもよい。
【００１９】
【発明の効果】
本出願は、ベットシーツの裏側の適所に少なくても一つの切り欠き部を設けた少なくても一枚の裏布を縫い閉じることにより、ベットシーツと少なくても一枚の裏布の間にベットパットを挿入し、ベットパットを押さえるように少なくても一つの切り欠き部を貫通させた固着部材のついた少なくても一本の可撓性支持部材と、ベットマットの下から巻き回された固着部材のついた少なくても一本の支持部材と、固定させてあるので、次に記載される効果が期待できる。
▲１▼  重いベットマットを持ち上げる必要が無くなり、高齢者及び足腰の悪い人たちの労力の負担を軽減できる。
▲２▼  適所に設けた切り欠き部に可撓性支持部材を貫通させることにより、ベットパットがベットマットからずり落ちない。
▲３▼  適所に切り欠き部が形成されているために、固着部材がベットマット用支持部材は見えなくなり、外観がすっきりしているので万人向きである。
▲４▼  洗濯時、全ての部材は外せるので、ベットシーツその他が痛む心配が無い。
▲５▼  狭い住宅で、万一ベットが壁際に置いてある場合でもベットシーツ交換が簡単に出来る。
【図面の簡単な説明】
【図１】本発明のベットパットが内在されたベットシーツを、ベットマット上に完成した平面図である。
【図２】図１のＡ−Ａ矢視図で示した斜視図である。
【図３】ベットマットに固着部材を出し置きした平面図である。
【図４】ベットマットに固着部材が固定された一部側面図である。
【図５】ベットシーツの裏面図である。
【図６】ベットシーツに、固着部材を設けた平面図である。
【図７】固着部材を設けたベットシーツに、ベットパットを内在させた平面図である。
【図８Ａ】ベットシーツの固着部材と、ベットマットの固着部材を止める前の作業図である。
【図８Ｂ】上記固着部材をとめた作業図である。
【図９】固着部材を固定した伸びない性質の支持部材を、ベットマットのしたから巻き回した斜視図である。
【図１０】ベットマットより、頭部側足部側及び両サイドにそれぞれ３００ｍｍ程度大きくし、十字形に形成したベットシーツである。
【図１１】図１０のＢ−Ｂ  矢視図で示した斜視図である。
【符号の説明】
１  ベットシーツ
２  足部側ポケット
３  頭部側ポケット
４  ベットマット
５  固着部材
６  可撓性支持部材
７  ベットパット
８Ａ、８Ｂ、８Ｃ  切欠き部
９  くわえ▲がん▼
１０  支持部材
１１  開口部
１２  延材したベットパット
１３  押さえ材
１４  三辺縫い閉じる
１５  両サイド縫い閉じる
【図１】
0004006506.tif 000002
【図２】
0004006506.tif 000003
【図３】
0004006506.tif 000004
【図４】
0004006506.tif 000005
【図５】
0004006506.tif 000006
【図６】
0004006506.tif 000007
【図７】
0004006506.tif 000008
【図８Ａ】
0004006506.tif 000009
【図８Ｂ】
0004006506.tif 000010
【図９】
0004006506.tif 000011
【図１０】
0004006506.tif 000012
【図１１】
0004006506.tif 000013